(57)【特許請求の範囲】
【請求項１】
戸の室内側表面に固定される台座と、当該台座に支持されるハンドルとを備える室内用ハンドル台座において、
前記台座が、前記戸内のラッチ箱錠部よりも高所から当該ラッチ箱錠部よりも低所まで連なるカバー部を有し、
前記ラッチ箱錠部の上方に配置された本締錠を動かす電動部、及び当該ラッチ箱錠部の下方に配置された本締錠を動かす電動部のそれぞれへ制御信号を発信する制御装置と、これら制御装置及び各電動部に電力を供給する電池部とが、前記カバー部の内側に取り付けられ、これら制御装置、電池部が、前記カバー部の内側に通された配線部を経て前記電動部と接続されるようになっており、
前記カバー部が、前記制御装置及び前記電池部を収めるカバー本体と、当該カバー本体の上部に対して上下方向に重なる範囲を調節可能な上カバーと、前記カバー本体の下部に対して上下方向に重なる範囲を調節可能な下カバーとを有することを特徴とする室内用ハンドル台座。
【請求項２】
前記上カバーが、前記カバー本体の上部に重ね得る調節代よりも上方にサムターンのモータ部を収めるようになっており、
前記下カバーが、前記カバー本体の下部に重ね得る調節代よりも下方にサムターンのモータ部を収めるようになっており、
前記制御装置が、前記電動部として前記モータ部を制御可能なものであり、
前記制御装置、前記電池部が、前記配線部のみで前記電動部と接続される請求項１に記載の室内用ハンドル台座。
【請求項３】
戸の室内側表面に固定される台座と、当該台座に支持されるハンドルとを備える室内用ハンドル台座において、
前記台座が、前記戸内のラッチ箱錠部よりも高所から当該ラッチ箱錠部よりも低所まで連なるカバー部を有し、
前記ラッチ箱錠部の上方に配置された本締錠を動かす電動部、及び当該ラッチ箱錠部の下方に配置された本締錠を動かす電動部のそれぞれへ制御信号を発信する制御装置と、これら制御装置及び各電動部に電力を供給する電池部とが、前記カバー部の内側に取り付けられ、これら制御装置、電池部が、前記カバー部の内側に通された配線部を経て前記電動部と接続されるようになっており、
前記制御装置が、前記電動部として前記本締錠の本締箱錠部内に設けられたアクチュエータ部を制御可能なものであり、
前記制御装置、前記電池部と、前記電動部である前記アクチュエータ部とが、前記配線部と、前記ラッチ箱錠部よりも高所から前記戸内に至る上側戸内配線部と、前記ラッチ箱錠部よりも低所から前記戸内に至る下側戸内配線部とによって接続されることを特徴とする室内用ハンドル台座。
【請求項４】
戸の室内側表面に固定される台座と、当該台座に支持されるハンドルとを備える室内用ハンドル台座において、
前記台座が、前記ハンドルに設けられたアーム部の内側に連通する１つ以上のカバー部を有し、
前記１つ以上のカバー部及びハンドルが、前記戸内のラッチ箱錠部よりも高所から当該ラッチ箱錠部よりも低所まで連なり、
前記ラッチ箱錠部の上方に配置された本締錠を動かす電動部、及び当該ラッチ箱錠部の下方に配置された本締錠を動かす電動部のそれぞれへ制御信号を発信する制御装置と、これら制御装置及び各電動部に電力を供給する電池部とが、前記カバー部の内側に取り付けられ、これら制御装置、電池部が、前記カバー部及びハンドルの内側に通された配線部を経て前記電動部と接続されることを特徴とする室内用ハンドル台座。
【請求項５】
ラッチ箱錠部の上方に配置された本締錠と、前記ラッチ箱錠部の下方に配置された本締錠とを備える戸に対して施す錠電動化方法において、
前記ラッチ箱錠部に対応した請求項１から４のいずれか１項に記載の室内用ハンドル台座を用いることを特徴とする錠電動化方法。
【請求項６】
ラッチ箱錠部の上方に配置された本締錠と、前記ラッチ箱錠部の下方に配置された本締錠とを備える戸に対して施す錠電動化方法において、
請求項２に記載の室内用ハンドル台座と、既存の戸に備わる本締錠の本締箱錠部に対応の連結軸と当該連結軸を回すモータ部を有するサムターンを用いることを特徴とする錠電動化方法。
【発明の詳細な説明】
【技術分野】
【０００１】
この発明は、彫込ラッチ錠及び上下の本締錠を備える戸の開閉操作用に設けられた室内用ハンドル台座、及び、これを用いて非電動の本締錠を電動可能なものに変更する錠電動化方法に関する。
【背景技術】
【０００２】
従来、住居用の戸として、本締錠を二か所に備えることにより、耐ピッキング性を向上させたものが普及している。これら本締錠は、戸内のラッチ箱錠部の上方及び下方の二か所に分けて配置されている。戸には、室内用ハンドル台座と、室外用ハンドル台座とが取り付けられている。これら両ハンドル台座は、戸の室内側表面又は室外側表面に固定される台座と、当該台座に支持されるハンドルとを備える。室内側の台座と室外側の台座を締結することにより、各台座の固定が成されると共にハンドル台座が戸に取り付けられる。
【０００３】
近年は、本締錠の電動化が進んでいる。本締錠を動かす電動部は、サムターンの連結軸を回すモータ部、本締箱錠部内でデッドボルトを動かすアクチュエータ部といった適宜の手段で構成され、施解錠切り替えの可否を決定する制御装置の配下にある。制御装置は、建物に据え付けられたスイッチの手動操作、携帯器との無線交信による認証、生体認証といった適宜の条件を満足すると、施解錠切り替え用の制御信号を電動部へ発信するようになっている（例えば、特許文献１、２）。
【先行技術文献】
【特許文献】
【０００４】
【特許文献１】特開２００２−１８０７１２号公報
【特許文献２】特開２００４−１９０４１９号公報
【発明の概要】
【発明が解決しようとする課題】
【０００５】
現状、一般に広く普及している本締錠は、依然として、鍵シリンダー又はサムターンの手動操作でデッドボルトを動かす非電動のものである。戸建住宅のリホームやマンションの改修といった住居メンテナンスの機会が到来した際、住人から、本締錠の電動化を希望されることがある。
【０００６】
しかしながら、既存の戸に備わる非電動の本締錠を電動化する仕様変更は、実現困難であった。すなわち、既存の戸内は、ラッチ箱錠部と、非電動の本締錠の各本締箱錠部とを配置することのみが考慮された仕様になっているので、サムターンや本締錠の本締箱錠部を電動のものに交換する程度は可能だが、これらの電動部をそれぞれ制御装置、電源に接続するのに必要な配線を戸内に通すための改造が困難であった。
【０００７】
上述の背景に鑑み、この発明が解決しようとする課題は、既存の戸の上下二か所に備わる本締錠の電動化を容易に実現することである。
【課題を解決するための手段】
【０００８】
上記課題を解決する第１の発明は、戸の室内側表面に固定される台座と、当該台座に支持されるハンドルとを備える室内用ハンドル台座において、前記台座が、前記戸内のラッチ箱錠部よりも高所から当該ラッチ箱錠部よりも低所まで連なるカバー部を有し、前記ラッチ箱錠部の上方に配置された本締錠を動かす電動部、及び当該ラッチ箱錠部の下方に配置された本締錠を動かす電動部のそれぞれへ制御信号を発信する制御装置と、これら制御装置及び各電動部に電力を供給する電池部とが、前記カバー部の内側に取り付けられ、これら制御装置、電池部が、前記カバー部の内側に通された配線部を経て前記電動部と接続される構成を採用したものである。
【０００９】
戸の室内側に配置される台座に制御装置や電池部を取り付けることにより、室外からの攻撃を防ぐと共に、建物の壁に設置した制御装置や商用電源と電動部を接続する場合に比して、戸枠から戸内に配線を引き込むことが不要になる。さらにカバー部がラッチ箱錠部よりも高所から当該ラッチ箱錠部よりも低所まで連なり、このようなカバー部の内側に通された配線部を経て制御装置、電池部と上下の電動部とが接続されるため、戸内でラッチ箱錠部を迂回させて上方へ向ける配線、下方へ向ける配線を通すことも不要になる。このように、上記構成を有する室内用ハンドル台座を用いることにより、上下の本締錠の電動化に際し、戸内配線用の複雑な改造を避けることができる。
【００１０】
好ましくは、前記カバー部が、前記制御装置及び前記電池部を収めるカバー本体と、当該カバー本体の上部に重なる範囲を調節可能な上カバーと、前記カバー本体の下部に対して上下方向に重なる範囲を調節可能な下カバーとを有するとよい。
【００１１】
上下の本締錠の位置や間隔は、戸製品ごとにある程度異なっている。制御装置及び電池部を収めるカバー本体を基準とした上カバー、下カバーの重ね位置調節によってカバー部の上下方向長さを変更可能にしておけば、様々な戸仕様においてカバー部を上下両方の本締錠の近くまで配置することができ、ひいては、戸内配線を可及的に減らすことができる。
【００１２】
より好ましくは、前記上カバーが、前記カバー本体の上部に重ね得る調節代よりも上方にサムターンのモータ部を収めるようになっており、前記下カバーが、前記カバー本体の下部に重ね得る調節代よりも下方にサムターンのモータ部を収めるようになっており、前記制御装置が、前記電動部として前記モータ部を制御可能なものであり、前記制御装置、前記電池部が、前記配線部のみで前記電動部と接続されるとよい。このような室内用ハンドル台座を用いると、上カバー、下カバーの調節代を活かしてサムターンと本締錠の本締箱錠部の連結が可能な位置に合わせ、電動部である上下のモータ部を戸外で上カバー、下カバーの内側に配置することができる。さらに、カバー部の内側に通す配線部のみで制御装置、電池部と電動部とを接続することにより、これらを接続するための戸内配線を一切無くすことができる。
【００１３】
本締錠の電動化は、本締錠の本締箱錠部内にアクチュエータ部を設けることによっても可能である。
【００１４】
すなわち、前記制御装置が、前記電動部として前記本締錠の本締箱錠部内に設けられたアクチュエータ部を制御可能なものであり、前記制御装置、前記電池部と、前記電動部である前記アクチュエータ部とが、前記配線部と、前記ラッチ箱錠部よりも高所から前記戸内に至る上側戸内配線部と、前記ラッチ箱錠部よりも低所から前記戸内に至る下側戸内配線部とによって接続されるものとすれば、カバー部の内側を通す配線部でラッチ箱錠部を避け、制御装置等とアクチュエータ部の接続に必要な戸内配線を上側戸内配線部及び下側戸内配線部のみに留めることができる。
【００１５】
上記課題を解決する第２の発明は、戸の室内側表面に固定される台座と、当該台座に支持されるハンドルとを備える室内用ハンドル台座において、前記台座が、前記ハンドルに設けられたアーム部の内側に連通する１つ以上のカバー部を有し、前記１つ以上のカバー部及びハンドルが、前記戸内のラッチ箱錠部よりも高所から当該ラッチ箱錠部よりも低所まで連なり、前記ラッチ箱錠部の上方に配置された本締錠を動かす電動部、及び当該ラッチ箱錠部の下方に配置された本締錠を動かす電動部のそれぞれへ制御信号を発信する制御装置と、これら制御装置及び各電動部に電力を供給する電池部とが、前記カバー部の内側に取り付けられ、これら制御装置、電池部が、前記カバー部及びハンドルの内側に通された配線部を経て前記電動部と接続される構成を採用したものである。
【００１６】
第２の発明によれば、戸の室内側に配置される台座に制御装置や電池部を取り付けることにより、室外からの攻撃を防ぐと共に、建物の壁に設置した制御装置や商用電源と電動部を接続する場合に比して、戸枠から戸内に配線を引き込むことが不要になる。１つ以上のカバー部及びハンドルがラッチ箱錠部よりも高所から当該ラッチ箱錠部よりも低所まで連なるので、これらの内側に通された配線部を経て制御装置、電池部と上下の電動部とを接続することが可能である。これにより、戸内でラッチ箱錠部を迂回させて上方へ向ける配線、下方へ向ける配線を通すことも不要になる。このように、ハンドルを利用することによっても、上下の本締錠の電動化に際し、戸内配線用の複雑な改造を避けることができる。
【００１７】
ラッチ箱錠部の上方に配置された本締錠と、前記ラッチ箱錠部の下方に配置された本締錠とを備える戸に対して施す錠電動化方法において、前記ラッチ箱錠部に対応した本発明に係る室内用ハンドル台座を用いることにより、既存の戸に対する複雑な改造を避けつつ、戸に形成されているハンドル台座用の抜き孔、ラッチ箱錠部を利用して、本締錠を電動化することができる。
【００１８】
特に、上述のモータ部に対応の室内用ハンドル台座と、既存の戸に備わる本締錠の本締箱錠部に対応の連結軸と当該連結軸を回すモータ部を有するサムターンとを用いることにより、既存の本締箱錠部をも利用することができる。
【発明の効果】
【００１９】
上述のように、この発明は、上記構成に係る室内用ハンドル台座を用いることにより、既存の戸の上下二か所に備わる本締錠について、戸内配線用の複雑な改造を避けて、これら本締錠の電動化を容易に実現することができる。
【図面の簡単な説明】
【００２０】
【図１】この発明の第１実施形態に係る室内用ハンドル台座を戸に取り付けた状態で示す断面図
【図２】第１実施形態に係る室内用ハンドル台座の分解斜視図
【図３】第１実施形態に係る室内用ハンドル台座の側面図
【図４】この発明の第２実施形態に係る室内用ハンドル台座を模式的に示す概念図
【図５】第２実施形態に係る室内用ハンドル台座の正面図
【図６】第２実施形態に係る室内用ハンドル台座と室外側回路との別接続例を模式的に示す概念図
【図７】第３実施形態に係る室内用ハンドル台座を模式的に示す概念図
【発明を実施するための形態】
【００２１】
この発明の第１実施形態に係る室内用ハンドル台座を添付図面の図１〜図３に基づいて説明する。図１、図２に示すように、戸１は、ラッチ箱錠部２の上方に配置された本締錠３と、ラッチ箱錠部２の下方に配置された本締錠４と、戸１の開閉操作に用いる室内用ハンドル台座５、室外用ハンドル台座６とを有する。
【００２２】
ラッチ箱錠部２は、ラッチボルト７を保持し、戸１の戸先から戸１内に埋め込まれ、戸先壁にねじ止めされている。
【００２３】
室内用ハンドル台座５、室内用ハンドル台座６は、それぞれ戸１の室内側表面８、室外側表面９に固定される台座１０、１１と、台座１０、１１に支持されるハンドル１２、１３とを備え、ハンドル１２、１３の操作を戸１内のラッチ箱錠部２に伝達可能なものになっている。
【００２４】
具体的には、ハンドル１２、１３は、それぞれ把持部に連結された操作伝達部１４、１５を有する。操作伝達部１４、１５に回動軸１６、１７が通されている。台座１０、１１は、それぞれ回動軸１６、１７を支持する基台部１８、１９と、基台部１８、１９に一体化されるカバー部２０、２１とを有する。この一体化は、ねじ止め、係合、融着等の適宜の手段で実現すればよい。
【００２５】
室内側の基台部１８には、ねじ通し部が設けられ、室外側の基台部１９には、雌ねじを有するねじボス部が設けられている。一方、戸１には、ラッチ箱錠部２に設けられた操作伝達口２２を露出させる抜き孔２３と、室内用ハンドル台座５と室外用ハンドル台座６の締結に用いる抜き孔２４とが形成されている。操作伝達部１４、１５は、抜き孔２３、操作伝達口２２に挿入される。基台部１９のねじボス部が抜き孔２４に挿入され、基台部１８のねじ通し部に通されたねじ部材２５が基台部１９のねじボス部にねじ込まれる締結により、台座１０、１１が戸１の室内側表面８、室外側表面９に固定されると共に室内用ハンドル台座５、室外用ハンドル台座６が戸１に取り付けられる。使用者がハンドル１２、１３を回動軸１６、１７周りに回す操作に伴って、操作伝達部１４、１５もラッチ箱錠部２内で動く。ラッチ箱錠部２は、当該操作伝達部１４、１５の動きをラッチボルト７の進退動に変換するようになっている。
【００２６】
本締錠３、４は、それぞれデッドボルトを保持する本締箱錠部２６、２７と、本締箱錠部２６、２７に室内側から連結されるサムターン２８、２９と、本締箱錠部２６、２７に室外側から連結される鍵シリンダー３０、３１とを有する。本締箱錠部２６、２７は、ラッチ箱錠部２と同様にして戸１に取り付けられた彫込型のものとなっている。戸１には、本締箱錠部２６、２７に設けられたサムターン連結口３２、３３を露出させる抜き孔３４、３５と、鍵シリンダー３０、３１と本締箱錠部２６、２７の連結に用いる抜き孔とが形成されている。サムターン２８、２９は、それぞれサムターン連結口３２、３３に挿入される連結軸３６、３７と、連結軸３６、３７を回すモータ部３８、３９と、連結軸３６、３７と同軸に設けられた摘み部４０、４１とを有する。連結軸３６、３７は、使用者による摘み部４０、４１の回転操作、又はモータ部３８、３９によって回転させられる。本締箱錠部２６、２７は、当該連結軸３６、３７の回転をデッドボルトの進退動に変換するようになっている。なお、本締箱錠部２６、２７は、使用者による鍵シリンダー３０、３１の鍵回し操作をデッドボルトの進退動に変換するようにもなっている。
【００２７】
室内用ハンドル台座５は、本締錠３、４を動かす電動部としてのモータ部３８、３９のそれぞれへ制御信号を発信する制御装置４２と、これら制御装置４２及び各モータ部３８、３９（電動部）に電力を供給する電池部４３とを備える。
【００２８】
制御装置４２は、室内の使用者から適宜の所定手段で入力された施解錠切り替え要求を受信し、この要求に応じて電動部を制御可能な回路になっている。図示例の制御装置４２は、室内の使用者が所持する携帯器（図示省略）との交信に用いる室内リーダ４４と、その交信の制御、携帯器から送信された固有識別情報の認証処理、認証された携帯器からの施解錠切り替え要求に応じてモータ部３８、３９（電動部）に制御信号を発信する処理等を行う演算部が実装された制御基板４５とで構成されている。
【００２９】
電池部４３は、複数の乾電池によって構成されている。
【００３０】
制御基板４５には、電池部４３の電力をモータ部３８、３９（電動部）に送る電源線、及び前述の制御信号をモータ部３８、３９（電動部）に送る制御線を纏めた配線部４６、４７が接続されている。配線部４６の一端は、上方のモータ部３８に接続され、配線部４６の他端は制御基板４５に接続されている。配線部４７の一端は、下方のモータ部３９に接続され、配線部４７の他端は制御基板４５に接続されている。配線部４６、４７の一端は、モータ部３８、３９のケーシング内で予め接続されている。配線部４６、４７の他端と制御基板４５は、コネクタで着脱可能に接続されている。
【００３１】
制御装置４２及び電池部４３は、室内側でラッチ箱錠部２よりも高所からラッチ箱錠部２よりも低所まで連なるカバー部２０の内側に取り付けられ、配線部４６、４７は、カバー部２０の内側に通されている。
【００３２】
具体的には、カバー部２０が、制御装置４２及び電池部４３を収めるカバー本体４８と、カバー本体４８の上部に対して上下方向に重なる範囲を調節可能な上カバー４９と、カバー本体４８の下部に対して上下方向に重なる範囲を調節可能な下カバー５０とを有する。
【００３３】
カバー本体４８は、制御基板４５を収める基板ボックス部と、電池部４３を収める電池ボックス部と、これらボックス部に着脱可能な背板部とを有し、これらを一つに纏めた箱状体になっている。カバー本体４８の背板部が外された状態では、基板ボックス部に制御基板４５を着脱し、電池部４３を電池ボックス部に着脱することができる。基台部１８は、基板ボックス部と電池ボックス部の間でカバー本体４８と一体化され、制御装置４２と電池部４３とが、基台部１８を境とした上下両側に分散配置されている。この配置により、電池部４３と制御装置４２とが正背方向に重ならず、カバー部２０の正背方向長さが抑えられる。電池ボックス部は、配線（図示省略）を介して制御基板４５に接続されている。室内リーダ４４は、背板部の背面側凹所に配置されているので、戸１の室内側表面８と、背板部と、基板ボックス部の左右側壁とで囲まれ、戸１外に露出しない。制御基板４５に施解錠切り替え操作用のスイッチを接続し、そのスイッチをカバー本体４８のスイッチ窓に配置するようにしてもよい。
【００３４】
上カバー４９は、カバー本体４８の上部に重ね得る調節代Ａよりも上方にモータ部３８を収めるようになっている。下カバー５０は、カバー本体４８の下部に重ね得る調節代Ａよりも下方にモータ部３９を収めるようになっている。
【００３５】
上カバー４９、下カバー５０のうち、カバー本体４８の基板ボックス部、電池ボックス部に重ね得る範囲は、正面壁、左右の側壁を有し、背方及び下方に開放された接続部になっている。その左右の各側壁には、上下方向に沿った突部５１、５１が設けられている。一方、基板ボックス部の左右側壁の外面、電池ボックス部の左右側壁の外面には、上下方向に沿った溝部５２、５２が設けられている。突部５１と溝部５２は、上カバー４９、下カバー５０をカバー本体４８に対して、上下方向に動かすスライド操作又は正背方向に押し込む操作のいずれでも噛み合わせられる。
【００３６】
また、上カバー４９、下カバー５０は、それぞれサムターン２８、２９の摘み部４０、４１の回転軸部を受ける嵌合口５３を有する。嵌合口５３、５３と摘み部４０、４１の間には、適宜の振れ止め金具を介在させることができる。上カバー４９、下カバー５０は、それぞれ摘み部４０と嵌合口５３の嵌合、及び突部５１と溝部５２の噛み合いによって、カバー本体４８に固定される。
【００３７】
図３に示すように、調節代Ａは、上カバー４９のうち、嵌合口５３よりもカバー本体４８側の位置に設けられている。図３中に実線で外形を描いた上カバー４９、下カバー５０は、上カバー４９に許された上限位置、下カバー５０に許された下限位置にあり、このとき、カバー部２０は、上下方向に最も長い状態となる。図３中に二点鎖線で外形を描いた上カバー４９、下カバー５０は、上カバー４９に許された下限位置、下カバー５０に許された上限位置にあり、このとき、カバー部２０は、上下方向に最も短い状態となる。上カバー４９の上限位置と下限位置の差分、下カバー５０の下限位置と上限位置の差分がそれぞれの調節代Ａに相当する。この調節代Ａの範囲内であれば、サムターン２８、２９の摘み部４０、４１の位置と、嵌合口５３、５３の位置とが合うように、カバー本体４８に対する上カバー４９、下カバー５０の上下方向位置を調節することができる。モータ部３８、３９と摘み部４０、４１を分離すれば、上カバー４９、下カバー５０をケース本体４８から取り外すことが可能になる。
【００３８】
なお、上カバー４９が上限位置、下カバー５０が下限位置にあるとき、サムターン２８、２９とケース本体４８との間には、調節代Ａよりも大きな上下方向の距離Ｌが生じる。この距離設定に伴う余裕空間は、配線部４６、４７の収納に利用することができる。このため、配線部４６、４７の長さを上カバー４９の上限位置、下カバー５０の下限位置を基準に設定したとき、現場で配線部４６、４７の長さを改めることなく、冗長分を曲げて余裕空間に収めることができる。上カバー４９の下限位置、下カバー５０の上限位置は、ハンドル１２等の他部との干渉が起きない限りで設定されている。通常、戸１の製品展開上のバリエーションとしてサムターンの位置を変更した複数種類の戸を設計する場合、その位置変更範囲は、標準としたサムターン位置から上方に２５ｍｍ、下方に２５ｍｍ程度である。したがって、調節代Ａが５０ｍｍあれば、十分な対応性を付与することができる。
【００３９】
図１に示すように、配線部４６は、基板ボックス部の内側からカバー本体４８の上方に出て、さらに上カバー４９の内側を通り、モータ部３８に至っている。配線部４７は、基板ボックス部の内側から下方に出て、背板部と基台部１８の間に設けられた配線空間を通り、ここで操作伝達部１４を迂回し、さらに電池ボックス部と背板部の間に設けられた配線空間からカバー本体４８の下方に出て、さらに下カバー５０の内側を通り、モータ部３９に至っている。このように、配線部４６、４７は、カバー部２０の内側のみを通り、制御装置４２、電池部４３が、その配線部４６、４７のみでモータ部３８、３９（電動部）と接続される。
【００４０】
なお、制御装置４２は、室外に所在の正当な使用者から適宜の所定手段で入力された施解錠切り替え要求を受信し、この要求に応じて電動部を制御可能な回路としても機能するようになっている。室外側の台座１１のカバー部２１の内側には、前述の携帯器との交信用に室外リーダ５４が取り付けられている。室外リーダ５４等の室外側回路と制御基板４５を接続するための配線５５は、図２に示す戸１の抜き孔２３を利用して戸１内を通過し、図１に示すカバー部２０の内側を通って制御基板４５に至っている。一般に、抜き孔２３は、操作伝達部１４、１５の可動範囲に対して余裕をもった大きさなので、配線５５の戸１貫通に利用することにより、抜き孔２３を拡大することなく、又は軽微な孔拡大により、配線５５を通すことが可能である。
【００４１】
第１実施形態に係る室内用ハンドル台座５は、上述のようなものであり、既存の戸１に備わる室内用ハンドル台座に代えて戸１に取り付けると、戸１の室内側に配置されたカバー部２０の内側に制御装置４２や電池部４３が配置されるので、室外からの攻撃を防ぐと共に、建物の壁に設置した制御装置や商用電源とモータ部３８、３９を接続する場合に比して、戸枠から戸１内に配線を引き込むことが不要になる。さらに、室内用ハンドル台座５は、ラッチ箱錠部２よりも高所からラッチ箱錠部２よりも低所まで連なるカバー部２０の内側に通された配線部４６、４７を経て制御装置４２、電池部４３と上下のモータ部３８、３９（電動部）とを接続するものなので、戸１内でラッチ箱錠部２を迂回させて上方へ向ける配線、下方へ向ける配線を通すことも不要になる。このように、室内用ハンドル台座５は、上下の本締錠３、４の電動化に際し、戸内配線用の複雑な改造を避けて、これら本締錠の電動化を容易に実現することができる。
【００４２】
また、室内用ハンドル台座５は、制御装置４２及び電池部４３を収めるカバー本体４８を基準とした上カバー４９、下カバー５０の重ね位置を調節代Ａの範囲内で上下方向に調節することにより、様々な戸仕様においてカバー部２０を上下両方の本締錠３、４の近くまで配置することができ、ひいては、戸内配線を可及的に減らすことができる。
【００４３】
また、室内用ハンドル台座５は、サムターン２８、２９のモータ部３８、３９を制御可能な制御装置４２を採用し、上カバー４９、下カバー５０を摘み部４０、４１の位置に合わせ、電動部である上下両方のモータ部３８、３９を戸１外で上カバー４９、下カバー５０の内側に配置し、配線部４６、４７のみで制御装置４２、電池部４３とモータ部３８、３９（電動部）とを接続するものなので、これらを接続するための戸内配線を一切無くすことができる。
【００４４】
また、ラッチ箱錠部２の上方及び下方に配置された非電動の本締錠（すなわち、本締錠３、４においてサムターンを非電動に変更したものに相当）を備える既存の戸１に対して、既存のラッチ箱錠部２に対応した室内用ハンドル台座５を用いる錠電動化方法を施すことにより、既存の戸１に対する複雑な改造を避けつつ、既存の戸１に既に形成されているハンドル台座用の抜き孔２３、２４、ラッチ箱錠部２を利用して、本締錠を電動化することができる。ここでの対応性は、既存のラッチ箱錠部２を改造なく使用することができれば十分であり、既存の戸１から外す室内用ハンドル台座と同形の操作伝達部１４、基台部１８には限定されない。
【００４５】
特に、その錠電動化方法において、本締箱錠部２６、２７に対応の連結軸３６、３７及び連結軸３６、３７を回すモータ部３８、３９を有するサムターン２８、２９を用いることにより、既存の戸１に備わる本締箱錠部２６、２７をも利用することができる。ここでの対応性は、前述と同様、既存の本締箱錠部２６、２７を改造なく使用することができれば十分である。
【００４６】
この発明の第２実施形態を図４、図５に基づいて説明する。以下では、第１実施形態との相違点を述べるに留める。第２実施形態に示す戸１００は、ラッチ箱錠部１０１と上方の本締錠１０２間の上下方向距離に対して、下方の本締錠１０３とラッチ箱錠部１０１間の上下方向距離を大きく設けたものとなっている。本締錠１０２、１０３は、本締箱錠部１０４、１０５と、手動操作のみに対応したサムターン１０６、１０７と、本締箱錠部１０４、１０５内に設けられたアクチュエータ部１０８、１０９とを有する。アクチュエータ部１０８、１０９は、本締箱錠部１０４、１０５内でデッドボルトを進退動させるための電動駆動源からなる。
【００４７】
室内用ハンドル台座１１０は、サムターン１０６、１０７間に収まる上下方向長さに設けられている。カバー部１１１は、固定長に設けられ、上下方向に伸縮不可なものになっている。ハンドル１１２は、把持部から延びた二か所のアーム部をカバー部１１１の内側で支持されたものとなっている。また、カバー部１１１は、ハンドル１１２に干渉しない上下の各端部を上カバー、下カバーとして上下方向長さを調節可能なものとしてもよい。
【００４８】
戸１００には、室内用ハンドル台座１１０の上部側と室外用ハンドル台座１１３の上部側の締結に用いる上方の抜き孔１１４と、室内用ハンドル台座１１０の下部側と室外用ハンドル台座１１３の下部側の締結に用いる下方の抜き孔１１５とが形成されている。カバー部１１１は、上下の抜き孔１１４、１１５を覆い隠す上下方向長さに設定されている。
【００４９】
制御基板１１６、室内リーダ１１７は、カバー部１１１の中央部付近に配置されている。制御基板１１６は、携帯器との交信による施解錠切り替えだけでなく、カバー部１１１の正面壁のスイッチ枠内に配置されたスイッチ１１８の操作によっても施解錠切り替えを受け付けるようになっている。室内リーダ１１７、スイッチ１１８は、制御基板１１６とカバー部１１１の正面壁間にあって、制御基板１１６に付設されている。制御基板１１６に接続された電池部１１９は、制御基板１１６とカバー部１１１の正面壁間にあって、室内リーダ１１７、スイッチ１１８を境とした上下両側に分散配置されている。
【００５０】
制御基板１１６は、アクチュエータ部１０８、１０９（電動部）を制御可能なものになっている。制御基板１１６、電池部１１９と、アクチュエータ部１０８、１０９とは、カバー部１１１の内側に通された配線部１２０、１２１と、ラッチ箱錠部１０１よりも高所から戸１００内に至る上側戸内配線部１２２と、ラッチ箱錠部１０１よりも低所から戸１００内に至る下側戸内配線部１２３とによって接続される。上側戸内配線部１２２、下側戸内配線部１２３は、それぞれ途中にコネクタ１２４、１２５を有し、コネクタ１２４、１２５のカバー部１１１側は、配線部１２０、１２１に一連のケーブルになっている。
【００５１】
上側戸内配線部１２２、下側戸内配線部１２３は、それぞれ抜き孔１１４、抜き孔１１５から戸１００内に至っている。また、制御基板１１６等と、室外側ハンドル台座１１３の下部に配置された室外側回路を接続するための配線１２６、１２７も、途中にコネクタを有し、抜き孔１１５に通されている。
【００５２】
抜き孔１１４、抜き孔１１５は、それぞれ既存の戸１００に形成されていた孔形状に対し、上側戸内配線部１２２、下側戸内配線部１２３、配線１２６、１２７を通すための孔拡大を行っている。その孔拡大域は、図５中の抜き孔１１４、１１５のうち、上下方向に長い矩形状の既存孔域の上方又は下方に、左右方向に細長い矩形状で連なっている。
【００５３】
室内用ハンドル台座１１０は、上述のようなものであり、カバー部１１１の内側を通す配線部１２０、１２１でラッチ箱錠部１０１を避け、制御基板１１６、電池部１１９とアクチュエータ部１０８、１０９の接続に必要な戸内配線を上側戸内配線部１２２及び下側戸内配線部１２３のみに留めることができる。その上側戸内配線部１２２は、ラッチ箱錠部１０１よりも高所から戸１００内に至るので、戸１００内でラッチ箱錠部１０１を上方に迂回させる困難な配線が不要である。下側戸内配線部１２３は、ラッチ箱錠部１０１よりもかなり低所から戸１００内に至るので、やはり戸１００内でラッチ箱錠部１０１を下方に迂回させる困難な配線が不要である。
【００５４】
また、室内用ハンドル台座１１０と、既存の戸１００に備わるサムターン１０６、１０７に対応し、かつ錠ケース内にアクチュエータ部１０８、１０９を有する本締箱錠部１０４、１０５とを用いると、既存のサムターン１０６、１０７をもそのまま利用することも可能である。
【００５５】
なお、第２実施形態においては、図６に例示するように、上方の本締箱錠部１０４に連結される鍵シリンダー１３０、下方の本締箱錠部１０５に連結される鍵シリンダー１３１を室外用ハンドル台座１３２から分離し、鍵シリンダー１３０、１３１のケース内に室外側回路を分散配置する場合、上方の鍵シリンダー１３０のケース内に設ける回路部と制御基板１１６等とを接続するための配線１３３を抜き孔１１４に通し、下方の鍵シリンダー１３１のケース内に設ける回路部と制御基板１１６等とを接続するための配線１３４を抜き孔１１５に通すようにしてもよい。
【００５６】
この発明の第３実施形態を図７に基づいて説明する。第３実施形態に係る室内用ハンドル台座１１０’は、第２実施形態からの変更例であって、特に、ハンドル１１２の内側をも利用した配線を施すものである。以下では、第２実施形態との相違点を述べるに留める。
【００５７】
第３実施形態の台座は、独立した２つのカバー部１１１ａ、１１１ｂを有する。上方のカバー部１１１ａは、上方の抜き孔１１４を覆い隠す。下方のカバー部１１１ｂは、下方の抜き孔１１５を覆い隠す。ハンドル１１２に設けられた上方のアーム部１１２ａは、上方のカバー部１１１ａの内側で支持されている。ハンドル１１２に設けられた下方のアーム部１１２ｂは、下方のカバー部１１１ｂの内側で支持されている。上方のカバー部１１１ａは、上方のアーム部１１２ａの内側に連通する。一方、下方のカバー部１１１ｂは、下方のアーム部１１２ｂの内側に連通する。２つのカバー部１１１ａ、１１１ｂ及びハンドル１１２を全体として考えると、これらが、戸１００内のラッチ箱錠部１０１よりも高所から当該ラッチ箱錠部１０１よりも低所まで連なっている。
【００５８】
制御装置を構成する制御基板１１６、室内リーダ１１７及びスイッチ１１８は、上方のカバー部１１１ａの内側に配置されている。一方、電池部１１９は、下方のカバー部１１１ｂの内側に配置されている。
【００５９】
制御基板１１６、電池部１１９と、本締箱錠部１０４、１０５内のアクチュエータ部（電動部）とは、上方のカバー部１１１ａ、ハンドル１１２及び下方のカバー部１１１ｂの内側に通された配線部（１４１〜１４３）と、上側戸内配線部１２２と、下側戸内配線部１２３とによって接続される。配線部１４１は、制御基板１１６と電池部１１９を接続するためのものである。配線部１４２は、制御基板１１６及び電池部１１９と上方の本締箱錠部１０４内のアクチュエータ部とを接続するためのものである。配線部１４３は、制御基板１１６及び電池部１１９と下方の本締箱錠部１０５内のアクチュエータ部とを接続するためのものである。配線部１４１、１４３は、上方のカバー部１１１ａの内側からアーム部１１２ａに入り、さらにハンドル１１２の把持部の内側を通ってアーム部１１２ｂに入り、ここから下方のカバー部１１１ｂの内側に至っている。配線部１４１、１４３のうち、ハンドル１１２の把持部の内側を通す部分は、ハーネスに纏められている。このハーネスには、配線１２６、１２７を制御基板１１６に接続するための配線も含まれている。
【００６０】
第３実施形態は上述のようなものであり、１つ以上のカバー部１１１ａ、１１１ｂ及びハンドル１１２の内側を通す配線部（１４１〜１４３）でラッチ箱錠部１０１を避け、制御基板１１６、電池部１１９と本締箱錠部１０４、１０５内のアクチュエータ部の接続に必要な戸内配線を、第２実施形態と同じく上側戸内配線部１２２及び下側戸内配線部１２３のみに留めることができる。
【００６１】
なお、第３実施形態において、電池部１１９は、制御基板１１６と同じカバー部１１１ａ内に配置してもよい。また、制御基板１１６は、下方のカバー部１１ｂに配置してもよい。第２実施形態のように上下方向に長いカバー部を１つだけ有するものとしつつ、ハンドル１１２の内側に配線部を通すようにしてもよい。この発明の技術的範囲は、上述の各実施形態に限定されず、特許請求の範囲の記載に基づく技術的思想の範囲内での全ての変更を含むものである。
【符号の説明】
【００６２】
１、１００  戸
２、１０１  ラッチ箱錠部
３、４、１０２、１０３  本締錠
５、１１０  室内用ハンドル台座
８  室内側表面
１０  台座
１２、１１２  ハンドル
２０、１１１、１１１ａ、１１１ｂ  カバー部
４８  カバー本体
４９  上カバー
５０  下カバー
２８、２９、１０６、１０７  サムターン
３６、３７  連結軸
３８、３９  モータ部（電動部）
４２  制御装置
４３、１１９  電池部
４４、１１７  室内リーダ
４５、１１６  制御基板
４６、４７、１２０、１２１、１４１、１４２、１４３  配線部
１０８、１０９  アクチュエータ部（電動部）
１１８  スイッチ
１２２  上側戸内配線部
１２３  下側戸内配線部
Ａ  調節代
【図１】
0006427382.tif 000002
【図２】
0006427382.tif 000003
【図３】
0006427382.tif 000004
【図４】
0006427382.tif 000005
【図５】
0006427382.tif 000006
【図６】
0006427382.tif 000007
【図７】
0006427382.tif 000008